(57)【要約】【課題】本発明は、それぞれ独立して動作可能な複数の画像形成装置が連結して動作する際の消費電力を削減する画像形成システムに関する。【解決手段】画像形成システムは、それぞれ単独で画像形成動作を実行可能なデジタル複写装置１が、ＬＡＮを介してネットワーク制御部４４で複数台並列接続され、単一のジョブを複数台のデジタル複写装置１が分散して連結動作するが、これらの複数台のデジタル複写装置１をマスター機とスレーブ機に分類し、マスター機とスレーブ機の消費電力を削減する省エネルギモードとして、スレーブ機の省エネルギモードをマスター機の省エネルギモードよりも低消費電力の状態とする。したがって、画像形成システム全体の高生産性と低消費電力、低コスト化を実現することができる。【選択図】          図３
2005088288.tif 000002
【特許請求の範囲】
【請求項１】
それぞれ単独で画像形成動作を実行可能な画像形成装置が複数台並列接続され、単一のジョブを当該複数台の画像形成装置で分散して連結動作する画像形成システムにおいて、前記複数台の画像形成装置をシステム制御機と被制御機に分類し、当該システム制御機と当該被制御機の消費電力を削減する省エネルギモードとして、当該被制御機の省エネルギモードを当該システム制御機の省エネルギモードよりも低消費電力の状態とすることを特徴とする画像形成システム。
【請求項２】
前記画像形成システムは、前記被制御機の前記省エネルギモードでのコマンド受付機能を、前記システム制御機からの起動コマンドだけでなく、当該被制御機独自のコマンドをも受け付け可能とすることを特徴とする画像形成システム。
【請求項３】
前記画像形成システムは、前記システム制御機が前記省エネルギモードの前記被制御機を復帰させる起動条件を、当該システム制御機が受け取ったジョブの内容に応じて変更することを特徴とする請求項１または請求項２記載の画像形成システム。
【請求項４】
前記画像形成システムは、前記システム制御機が前記被制御機を省エネルギモードから復帰させる前記起動条件が、任意に設定可能であることを特徴とする請求項３記載の画像形成システム。
【請求項５】
前記画像形成システムは、前記システム制御機が、前記起動コマンドを受け付けた後、前記省エネルギモードから復帰して前記画像形成動作への準備動作を開始した後、前記被制御機の前記省エネルギモードからの復帰を行わせることを特徴とする請求項１から請求項４のいずれかに記載の画像形成システム。
【発明の詳細な説明】
【技術分野】
【０００１】
本発明は、画像形成システムに関し、詳細には、それぞれ独立して動作可能な複数の画像形成装置が連結して動作する際の消費電力を削減する画像形成システムに関する。
【背景技術】
【０００２】
複写装置、プリンタ装置及びファクシミリ装置等の画像形成装置は、一般的に画像生産性と市場価格が比例する傾向にあり、画像生産性の低い（1分間当たりの画像形成枚数が少ない）画像形成装置は、画像生産性の高い画像形成装置よりも低価格であり、また、画像生産性の高い画像形成装置は、販売台数も少なくなる傾向にあるため、相対的に割高な価格設定となっていることが多い。
【０００３】
したがって、画像生産性の低い画像形成装置を並列動作させて、画像形成動作を行うことで、一台の画像生産性の高い機器を購入するよりも、低価格で同等の生産性を実現することが可能である。
【０００４】
そして、従来から、連結機能を備えた画像形成装置が出現しており、この連結機能は、個々の画像形成装置は、それぞれ独立して画像形成動作可能であるが、連結機能を使うことで、画像データを共有して、同じ画像データを元に複数の画像形成装置で画像形成動作を行うという機能である。この連結機能を利用することで、画像形成装置の購入コストを低減させつつ、高生産性を実現することができる。
【０００５】
一方、近年、画像形成装置においても省エネルギーの要望が強く、画像形成装置の消費電力を低減することが要望されている。そして、一般的に、画像形成装置において消費電力の低減するためには、画像形成動作時のピーク消費電力を低減させることと、待機状態の消費電力も含めた総消費電力を低減させることとで対応している。
【０００６】
画像形成装置の待機時の消費電力を低減させるためには、通常の待機状態よりも消費電力の少ない省エネルギモードなる状態を設け、省エネルギモードにおいては、待機状態と比較して活電部を少なくするという方式が一般的に取られている。この省エネルギモードでは、省エネルギモードからの復帰要因、例えば、操作部の操作、原稿台への原稿のセット、ネットワークを介した機器からのプリント要求等の復帰要因を受け付ける制御部のみに通電を行い、画像形成コマンドを受信した際に受信部がその他の制御系への通電をコントロールし、画像形成装置を画像形成可能状態に復帰させる（特許文献１等参照）。
【０００７】
また、本出願人は、先に、省エネルギモードの消費電力の削減を向上させるために、他の画像形成装置のウォームアップ時間と設定されたジョブの処理時間とを比較する比較手段と、比較の結果、処理時間がウォームアップ時間以上のとき、他の画像形成装置を起動させる起動信号を送信する制御手段とを設けた画像形成装置を提案している（特許文献２参照）。
【０００８】
さらに、従来、重連コピーが要求された場合、生産性を上げるための重連コピーか否か等を判断し、判断結果に基づき重連コピーを許可するか否かを決定する画像処理装置が提案されている（特許文献３参照）。
【０００９】
【特許文献１】特開２０００−３５７３２号公報
【特許文献２】特開２００１−７９６１号公報
【特許文献３】特開２００１−２５６０２１号公報
【発明の開示】
【発明が解決しようとする課題】
【００１０】
しかしながら、上記従来技術にあっては、画像生産性を向上させつつ、より一層消費電力を削減する上で、改良の必要があった。
【００１１】
すなわち、画像形成装置の画像生産性を決定するのは、画像処理制御部の動作周波数や転写紙を搬送するための駆動系、さらには、転写紙に現像剤を定着させるための定着ユニット等の熱容量であるが、省エネルギモードにおいては、画像形成コマンドの受信部以外は通電が行われないため、省エネルギモードにおける消費電力は、画像生産性の大小によらずほぼ一定となる。
【００１２】
したがって、連結機能を使用したシステムにおいては、個々の画像形成装置が各々に内蔵される画像形成コマンド受信部に対して通電を行うため、同等の画像生産性をもつ１台の高速画像形成装置よりも省エネルギモードの消費電力が大きくなるという問題が発生する。
【００１３】
そこで、請求項１記載の発明は、それぞれ単独で画像形成動作を実行可能な画像形成装置を複数台並列接続して、単一のジョブを当該複数台の画像形成装置で分散して連結動作するに際して、当該複数台の画像形成装置をシステム制御機と被制御機に分類し、当該システム制御機と当該被制御機の消費電力を削減する省エネルギモードとして、当該被制御機の省エネルギモードを当該システム制御機の省エネルギモードよりも低消費電力の状態とすることにより、高生産性と低消費電力、低コスト化を実現する画像形成システムを提供することを目的としている。
【００１４】
請求項２記載の発明は、被制御機の省エネルギモードでのコマンド受付機能を、システム制御機からの起動コマンドだけでなく、当該被制御機独自のコマンドをも受け付け可能とすることにより、利用性を向上させつつ、高生産性と低消費電力、低コスト化を実現する画像形成システムを提供することを目的としている。
【００１５】
請求項３記載の発明は、システム制御機が省エネルギモードの被制御機を復帰させる起動条件を、当該システム制御機が受け取ったジョブの内容に応じて変更することにより、例えば、画像形成枚数に応じて被制御機を復帰させる起動条件を変更して、高生産性を維持しつつ、消費電力をより一層削減する画像形成システムを提供することを目的としている。
【００１６】
請求項４記載の発明は、システム制御機が被制御機を省エネルギモードから復帰させる起動条件が、任意に設定可能とすることにより、例えば、ユーザの利用形態に応じて、被制御機を復帰させる起動条件としての画像形成枚数を適宜変更し、利用性を向上させつつ、高生産性を維持するとともに、消費電力をより一層削減する画像形成システムを提供することを目的としている。
【００１７】
請求項５記載の発明は、システム制御機が、起動コマンドを受け付けた後、省エネルギモードから復帰して画像形成動作への準備動作を開始した後、被制御機の省エネルギモードからの復帰を行わせることにより、システム制御機としての画像処理装置の省エネルギモードからの復帰時間を短縮し、より一層利用性と生産性を向上させるとともに、消費電力をより一層削減する画像形成システムを提供することを目的としている。
【課題を解決するための手段】
【００１８】
請求項１記載の発明の画像形成システムは、それぞれ単独で画像形成動作を実行可能な画像形成装置が複数台並列接続され、単一のジョブを当該複数台の画像形成装置で分散して連結動作する画像形成システムにおいて、前記複数台の画像形成装置をシステム制御機と被制御機に分類し、当該システム制御機と当該被制御機の消費電力を削減する省エネルギモードとして、当該被制御機の省エネルギモードを当該システム制御機の省エネルギモードよりも低消費電力の状態とすることにより、上記目的を達成している。
【００１９】
この場合、例えば、請求項２に記載するように、前記画像形成システムは、前記被制御機の前記省エネルギモードでのコマンド受付機能を、前記システム制御機からの起動コマンドだけでなく、当該被制御機独自のコマンドをも受け付け可能とするものであってもよい。
【００２０】
また、例えば、請求項３に記載するように、前記画像形成システムは、前記システム制御機が前記省エネルギモードの前記被制御機を復帰させる起動条件を、当該システム制御機が受け取ったジョブの内容に応じて変更するものであってもよい。
【００２１】
さらに、例えば、請求項４に記載するように、前記画像形成システムは、前記システム制御機が前記被制御機を省エネルギモードから復帰させる前記起動条件が、任意に設定可能なものであってもよい。
【００２２】
さらに、例えば、請求項５に記載するように、前記画像形成システムは、前記システム制御機が、前記起動コマンドを受け付けた後、前記省エネルギモードから復帰して前記画像形成動作への準備動作を開始した後、前記被制御機の前記省エネルギモードからの復帰を行わせるものであってもよい。
【発明の効果】
【００２３】
請求項１記載の発明の画像形成システムによれば、それぞれ単独で画像形成動作を実行可能な画像形成装置を複数台並列接続して、単一のジョブを当該複数台の画像形成装置で分散して連結動作するに際して、当該複数台の画像形成装置をシステム制御機と被制御機に分類し、当該システム制御機と当該被制御機の消費電力を削減する省エネルギモードとして、当該被制御機の省エネルギモードを当該システム制御機の省エネルギモードよりも低消費電力の状態としているので、高生産性と低消費電力、低コスト化を実現することができる。
【００２４】
請求項２記載の発明の画像形成システムによれば、被制御機の省エネルギモードでのコマンド受付機能を、システム制御機からの起動コマンドだけでなく、当該被制御機独自のコマンドをも受け付け可能としているので、利用性を向上させることができるとともに、、高生産性と低消費電力、低コスト化を実現することができる。
【００２５】
請求項３記載の発明の画像形成システムによれば、システム制御機が省エネルギモードの被制御機を復帰させる起動条件を、当該システム制御機が受け取ったジョブの内容に応じて変更するので、例えば、画像形成枚数に応じて被制御機を復帰させる起動条件を変更して、高生産性を維持することができるとともに、消費電力をより一層削減することができる。
【００２６】
請求項４記載の発明の画像形成システムによれば、システム制御機が被制御機を省エネルギモードから復帰させる起動条件が、任意に設定可能としているので、例えば、ユーザの利用形態に応じて、被制御機を復帰させる起動条件としての画像形成枚数を適宜変更することができ、利用性を向上させつつ、高生産性を維持することができるとともに、消費電力をより一層削減することができる。
【００２７】
請求項５記載の発明の画像形成システムによれば、システム制御機が、起動コマンドを受け付けた後、省エネルギモードから復帰して画像形成動作への準備動作を開始した後、被制御機の省エネルギモードからの復帰を行わせるので、システム制御機としての画像処理装置の省エネルギモードからの復帰時間を短縮することができ、より一層利用性と生産性を向上させることができるとともに、消費電力をより一層削減することができる。
【発明を実施するための最良の形態】
【００２８】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２９】
図１〜図３は、本発明の画像形成システムの第１実施例を示す図であり、図１は、本発明の画像形成システムの第１実施例を適用した画像形成システムを構成する画像形成装置としてのデジタル複写装置１の正面概略構成図である。
【００３０】
本実施例の画像形成システムは、このデジタル複写装置１が複数台ＬＡＮ（Local Area Network）等のネットワークに接続されて、連結動作することで構築される。
【００３１】
図１において、デジタル複写装置１は、プリンタ部２とスキャナ部３を備えており、プリンタ部２の上に、スキャナ部３が載置されている。
【００３２】
スキャナ部３は、筐体４上部に原稿の載置されるコンタクトガラス５が配設されており、コンタクトガラス５上に載置された原稿は、開閉可能に配設された圧板６によりコンタクトガラス５に密着するように押しつけられる。
【００３３】
筐体４内には、第１走行体７、第２走行体８、ミラー９、１０、レンズ１１及びＣＣＤイメージセンサ１２等が収納されており、第１走行体７及び第２走行体８は、ステッピングモータ１３により、副走査方向（図１中左右方向）に相対移動されて、コンタクトガラス５上にセットされた原稿の表面を走査する。
【００３４】
第１走行体７は、光源７ａとミラー７ｂを搭載しており、第２走行体８は、２枚のミラー８ａ、８ｂを搭載している。第１走行体７は、ステッピングモータ１３によりコンタクトガラス５と平行に副走査方向に移動しながら光源７ａからコンタクトガラス５上に載置された原稿に光を照射し、当該原稿の反射光をミラー７ｂにより第２走行体方向に反射する。第２走行体８は、ステッピングモータ１３により第１走行体７の移動に連動して第１走行体７の移動速度の１／２の速度で副走査方向に移動して、第１走行体７から入射される光をミラー８ａ及びミラー８ｂによりミラー９方向に反射し、ミラー９は、入射光をミラー１０に反射する。ミラー１０は、ミラー９からの入射光をレンズ１１方向に反射し、レンズ１１は、入射光をＣＣＤイメージセンサ１２に集光させて照射させる。
【００３５】
ＣＣＤイメージセンサ１２は、入射された原稿からの反射光を光電変換して、原稿の画像の読み取りを行い、読み取った画像データをプリンタ部２に出力する。
【００３６】
プリンタ部２は、レーザ書込系、画像再生系、定着系及び給紙系等を備えており、レーザ書込系は、レーザ出力ユニット１５、結像レンズ１６、ミラー１７等を備えている。このレーザ書込系は、レーザ出力ユニット１５から出射されたレーザ光を結像レンズ１６及びミラー１７を通して、画像再生系の感光体ドラム１８上に照射する。
【００３７】
すなわち、レーザ書込系は、図２に示すように、レーザ出力ユニット１５が、レーザ光源ユニット１５ａ、ミラー１５ｂ、シリンダレンズ１５ｃ及び回転多面鏡（ポリゴンミラー）１５ｄ等を備えており、レーザ光源ユニット１５ａから画像データにより変調されたレーザビームを出射して、ミラー１５ｂ、シリンダレンズ１５ｃを介して回転多面鏡１５ｄに入射する。回転多面鏡１５ｄは、モータ１５ｅにより回転されて、入射されるレーザビームを偏向走査して、結像レンズ１６を通過させミラー１７で反射して、感光体１８上に照射して、感光体１８上に静電潜像を形成する。
【００３８】
画像再生系は、感光体ドラム１８の周囲に、帯電チャージャ１９、イレーザ２０、現像ユニット２１、転写チャージャ２２、分離チャージャ２３、分離爪２４、クリーニングユニット２５等が配設されている。画像再生系は、感光体ドラム１８の周面を、帯電チャージャ１９により一様に高電位に帯電させ、レーザ書込系からレーザ光が照射されて、照射された部分の電位が下がることで、静電潜像が形成される。すなわち、レーザ光は、記録再生の黒／白に応じて、ＯＮ／ＯＦＦ制御され、レーザ光の照射によって、感光体ドラム１８の周面に記録画像に対応する電位分布、すなわち静電潜像が形成される。
【００３９】
画像再生系は、静電潜像の形成された感光体ドラム１８に現像ユニット２１で、その電位の高低に応じてトナーを付着させて、静電潜像を可視化したトナー画像を形成させ、トナー画像の形成された感光体ドラム１８と転写チャージャ２２との間に、所定のタイミングで給紙系から転写紙が送り込まれて、転写紙に感光体ドラム１８上のトナー画像を転写させる。
【００４０】
画像再生系は、トナー画像の転写された転写紙を、分離チャージャ２３及び分離爪２４によって、感光体ドラム１８から分離させ、定着系に送り出す。
【００４１】
定着系は、搬送ベルト２６、定着ユニット２７及び排紙トレー２８等を備え、定着ユニット２７は、ヒータを内蔵した定着ローラ２９と加圧ローラ３０等を備えている。定着系は、感光体ドラム１８から分離された転写紙を搬送ベルト２６で定着ユニット２７に搬送し、定着ユニット２７の転写ローラ２９と加圧ローラ３０でトナー画像の転写された転写紙を加熱・加圧してトナー画像を転写紙に定着させた後、排紙トレー２８上に排出する。
【００４２】
一方、給紙系は、下段給紙カセット３１、上段給紙カセット３２、手差し給紙台３３、給紙ローラ３４、３５及びレジストローラ３６等を備えており、下段給紙カセット３１にセットされている記録紙を給紙ローラ３４によりレジストローラ対３６に搬送し、また、上段給紙カセット３２及び手差し給紙台３３にセットされている転写紙を、給紙ローラ３５によりレジストローラ３６に搬送する。レジストローラ３６は、給紙ローラ３４あるいは給紙ローラ３５により搬送されてきた転写紙を、記録プロセスの進行に同期したタイミングにタイミング調整して感光体ドラム１８と転写チャージャ２２との間に送り出す。
【００４３】
また、定着系の定着ユニット２７には、図示しないが、サーミスタ等の温度検知センサが配設されており、温度検知センサは、定着ローラ２９の表面温度を検出してアナログの温度検知信号を出力する。
【００４４】
そして、デジタル複写装置１は、その制御系統の主要部が、図３に示すように回路構成されており、シーケンス制御部４１、画像制御部４２、操作部４３、ネットワーク制御部４４、ゲート回路４５及び連結インタフェース４６等の各モジュールを備えており、また、商用電源を直流電源に変換する直流電源部４７を備えている。
【００４５】
シーケンス制御部４１は、ＣＰＵ（Central Processing Unit ）５１、ＲＯＭ（Read Only Memory）５２、ＲＡＭ（Random Access Memory）５３及び不揮発性メモリ５４等を備えている。ＲＯＭ５２内には、デジタル複写装置１としての基本処理プログラム及び省エネ制御処理プログラム等の各種プログラム及びこれらの各種プログラムを実行する上で必要な各種データが格納されており、ＣＰＵ５１は、ＲＯＭ５２内のプログラムに基づいて、ＲＡＭ５３をワークメモリとして利用しつつ、デジタル複写装置１の各部を制御して、デジタル複写装置１としてのシーケンスを実行するとともに、省エネ制御処理を実行して、直流電源部４７に出力禁止信号を出力し、また、ゲート回路４５にゲート制御信号を出力して、ゲート回路４５の動作を制御する。また、ＣＰＵ５１は、デジタル複写装置１の電源オフ時にも記憶しておく必要のあるデータを不揮発性メモリ５４に記憶させ、必要に応じて読み出して各種制御に使用する。
【００４６】
画像制御部４２は、デジタル複写装置１が作成する画像データの管理、画像処理等を行い、連結機能が有効となっている場合には、連結された他のデジタル複写装置１等の画像形成装置の画像制御部に対して画像データの供給及び受信を行う。画像制御部４２には、画像処理を行う画像処理デバイス５５と画像データを記憶する画像メモリ５６等が実装されている。
【００４７】
操作部４３は、デジタル複写装置１の使用者が直接コマンドを入力するためのキー（テンキー、コピースタートキー、モード設定キー等（図示せず））、電源スイッチ回路５７、制御部５８及び画面表示用のＬＣＤ５９等が備えられており、制御部５８が、キー入力やＬＣＤ５９への表示画面描画を制御する。また、電源スイッチ回路５７は、デジタル複写装置１の電源のオン／オフを行う電源スイッチを備え、電源スイッチの操作でデジタル複写装置１の電源をオン／オフするのに使用されるとともに、電源スイッチは、省エネルギモードから復帰する際の復帰キーとしても使用される。この電源スイッチ回路５７は、操作部４３の制御部５８へ接続されているとともに、直流電源部４７にも接続されており、操作部４３の制御部５８への通電が停止されている状態であってもキー入力が有効な構成となっていて、電源スイッチがオン操作されることで、直流電源部４７に出力許可信号を出力する。また、操作部４３は、出力許可信号を直流電源部４７に出力する。
【００４８】
ネットワーク制御部４４は、１００ＢＡＳＥ−Ｔ等のＬＡＮ（Local Area Network）とのインターフェース機能を有し、当該ＬＡＮ等を介して、連結動作する他のデジタル複写装置１等の画像形成装置に接続されていて、省エネルギモード時においては、ＬＡＮから入力された自機宛てのコマンドからデジタル複写装置１の復帰信号を出力する機能を有している。
【００４９】
連結インタフェース４６は、連結システム（画像形成システム）を構成する他のデジタル複写装置１であるマスタ機（システム制御機）またはスレーブ機（被制御機）と接続され、機器間のインタフェースを行う。すなわち、連結インタフェース４６は、他のデジタル複写装置１との間で、出力許可信号、各デジタル複写装置１のシーケンス制御部４１が通信を行うための通信線及び画像データ転送用の画像バスが接続され、いずれのデジタル複写装置１がマスタ機になるか、スレーブ機になるかは、シーケンス制御部４１に実装されている不揮発メモリ５４への設定値によって決定され、デジタル複写装置１の使用者またはサービスマンが任意に設定することができる。
【００５０】
直流電源部４７は、出力制御信号によって直流電源の出力がコントロールされ、出力許可信号がアサートされると、全ての制御部４１〜４４、アクチュエータに対して直流電源を供給し、出力禁止信号がアサートされると、起動コマンドを受信する制御部であるネットワーク制御部４４、操作部４３の電源スイッチ回路５７、連結インターフェース４６にのみ直流電源を供給する。
【００５１】
そして、出力制御信号は、出力許可信号と出力停止信号の２信号から構成され、出力許可信号は、ネットワーク制御部４４、連結インタフェース４６及び操作部４３の電源スイッチ回路５７から入力される。ネットワーク制御部４４は、省エネルギモード時、ネットワーク経由の画像形成コマンドを受信すると、出力許可信号をアサートする。操作部４３からの出力制御信号線は、操作部４３上の電源スイッチ回路に接続されており、省エネルギモード時、使用者によって電源スイッチ回路５７の電源スイッチが押されると、出力許可信号がアサートされる。直流電源部４７は、出力許可信号のアサートエッジを検出すると、各モジュールに対して、直流電源を出力する。また、連結状態においては、マスター機のデジタル複写装置１のネットワーク制御部４４、操作部４３から出力許可信号が連結インタフェース４６を介して直流電源部４７に供給され、直流電源部４７は、その信号のみによって出力制御を行う。
【００５２】
また、出力禁止信号は、マスター機及びスレーブ機を構成する各デジタル複写装置１のシーケンス制御部４１から発行され、シーケンス制御部４１は、当該デジタル複写装置１を省エネルギモードに移行する際に、出力禁止信号をアサートして、この出力禁止信号を受信した直流電源部４７が直流電源の出力を停止する。その結果、直流電源部４７は、図３に破線で示すように、シーケンス制御部４１を含む画像制御部４２、操作部４３の制御部５８及びネットワーク制御部４４への電源供給を停止し、システムの消費電力が低減される。
【００５３】
ゲート回路４５は、直流電源部４７からネットワーク制御部４４、操作部４３の電源スイッチ回路５７への電力供給線に挿入されており、スレーブ機に設定されたデジタル複写装置１は、ゲート回路４５により省エネルギモード時、ネットワーク制御部４４及び操作部４３に対しても直流電源の供給が停止されるため、省エネルギモードにおいては、一切の起動コマンドを受信することができなくなるが、その代わりに、スレーブ機に設定されたデジタル複写装置１は、省エネルギモードにおいて通電された制御部が無くなり、機器（デジタル複写装置１）の消費電力を最小値（直流電源の出力許可信号受信部による電力消費のみ）まで低減させることができる。また、スレーブ機に設定されたデジタル複写装置１ついては、単独で動作させる場合には、スレーブ設定を解除することで、省エネルギモード時、ネットワーク制御部４４と操作部４３に対する電力供給を行うことができ、通常のデジタル複写装置１として利用することができる。そして、このゲート回路４５の導通／遮断は、マスター機／スレーブ機の切換設定によって、シーケンス制御部４１のＣＰＵ５１からのゲート制御信号によって決定される。
【００５４】
次に、本実施例の作用を説明する。上記デジタル複写装置１は、複数のデジタル複写装置１がＬＡＮを介して接続されて、当該複数のデジタル複写装置１が、マスター機とスレーブ機とに設定されて連結されて１つの画像形成システムとして構築され、複数のデジタル複写装置１が独立して動作可能であるが、画像データを共有して同じ画像データを元に画像形成する連結動作処理を行う。
【００５５】
そして、本実施の形態の画像形成システムは、この連結機能を備えた各デジタル複写装置１がそれぞれ省エネルギモードを備えており、その省エネルギモード時の消費電力を削減するところにその特徴がある。
【００５６】
すなわち、画像形成システムは、複数のデジタル複写装置１がマスター機とスレーブ機として連結接続され、この連結接続時に、画像形成コマンドを受信したデジタル複写装置１（マスター機、スレーブ機を問わない）は、連結されているデジタル複写装置１のシーケンス制御部４１に対して、連結接続されている各デジタル複写装置１が出力すべき画像枚数を連結インタフェース４６から通信線を経由してコマンドとして通知する。
【００５７】
マスター機のデジタル複写装置１は、画像形成動作が完了した後、規定時間が経過すると、各スレーブ機のデジタル複写装置１に対して、受信中または保留中の画像形成コマンドがあるか否かの問い合わせを行い、全てのスレーブ機であるデジタル複写装置１が画像形成コマンドを持っていない場合に、マスター機であるデジタル複写装置１のシーケンス制御部４１が、連結インタフェース４６の出力禁止信号をアサートし、スレーブ機であるデジタル複写装置１の直流電源を停止させる。
【００５８】
そして、シーケンス制御部４１により直流電源部４７に入力される出力禁止信号がアサートされると、直流電源部４７は、図３に破線で示すように、シーケンス制御部４１、画像制御部４２及び操作部４３（ただし、電源スイッチ回路５７を除く）への通電を遮断し、図３に太線で示すように、ネットワーク制御部４４、電源スイッチ回路５７及び連結インタフェース４６にのみ直流電源を供給して、省エネルギモードに移行する。
【００５９】
このとき、マスター機のデジタル複写装置１は、その直流電源部４７により、図３に破線で示したように、シーケンス制御部４１を含む画像制御部４２、操作部４３の制御部５８及びネットワーク制御部４４への電源供給を停止して、システムの消費電力が低減され、スレーブ機に設定されたデジタル複写装置１は、さらに、ゲート回路４５により、ネットワーク制御部４４及び操作部４３に対しても直流電源の供給が停止される。したがって、マスター機のデジタル複写装置１よりもスレーブ機のデジタル複写装置１の方が、より低消費電力の状態となっている。
【００６０】
その後、省エネルギモード時、マスター機のデジタル複写装置１に対して画像形成コマンドがＬＡＮ（ネットワーク）から入力されると、マスター機のデジタル複写装置１のネットワーク制御部４４は、マスター機のデジタル複写装置１及びスレーブ機のデジタル複写装置１の直流電源部４７に対する出力許可信号をアサートし、直流電源部４７が画像形成システム全体の直流電源を出力オン状態とする。画像形成システムを構成する各デジタル複写装置１の各部に直流電源が供給されることで、各デジタル複写装置１のシーケンス制御部４１が起動し、画像形成動作への移行を開始する。
【００６１】
このように、本実施例の画像形成システムは、連結動作に設定された複数のデジタル複写装置１は、省エネルギモード時、マスター機のネットワーク制御部４４及び操作部４３により、画像形成システム全体の起動を管理することで、複数のデジタル複写装置１が組み合わされた状態においても消費電力を一台のデジタル複写装置１の省エネルギモード時と同等の消費電力で画像形成コマンドを受信することができる。また、起動後は、画像形成システムの画像生産性を、複数のデジタル複写装置１の合算値と同等とすることができ、低コストで高生産性を実現することができる。
【実施例２】
【００６２】
図４は、本発明の画像形成システムの第２実施例を適用した画像形成システムを構成する画像処理装置としてのデジタル複写装置６０の制御系統の主要部の回路構成図である。
【００６３】
なお、本実施例は、上記第１実施例の画像形成システムのデジタル複写装置１と同様のデジタル複写装置を用いた画像形成システムに適用したものであり、本実施例の説明においては、上記第１実施例と同様の構成部分については、同一の符号を付して、その詳細な説明を省略するとともに、図示しない部分についても、必要に応じて、上記第１実施例で用いた符号をそのまま用いて説明する。
【００６４】
図４において、デジタル複写装置６０は、上記第１実施例のデジタル複写装置１の制御系と同様に、シーケンス制御部４１、画像制御部４２、操作部４３、ネットワーク制御部４４、連結インタフェース４６及び直流電源部４７等を備えているとともに、ゲート回路６１を備えている。
【００６５】
ゲート回路６１は、直流電源部４７からネットワーク制御部４４への電力供給線にのみ挿入されており、操作部４３の電源スイッチ５９への電源線にはゲート回路６１が介在しておらず、直接、直流電源部４７からの電源線が接続されている。
【００６６】
したがって、スレーブ機に設定されたデジタル複写装置６０の直流電源部４７に対して出力禁止信号がアサートされた際、ゲート回路６１がネットワーク制御部４４への電力線を遮断し、省エネルギモード状態においては、ネットワーク制御部４４への通電が停止される。これに対して、操作部４３の電源スイッチ回路５７の回路への電力供給が継続され、省エネルギモードにおいても、操作部４３上の電源スイッチ回路５７からの起動コマンドを受信することができる。
【００６７】
このように、本実施例のデジタル複写装置６０は、連結状態においてスレーブ機に設定されたデジタル複写装置１においても、操作部４３からの起動コマンドを受信可能とし、かつ、消費電力の大きなネットワーク制御部４４を省エネルギモード時に停止させることで、スレーブ機のデジタル複写装置１の消費電力を低減させることができ、画像形成システム全体の消費電力を削減することができるとともに、使用者の利用性を向上させることができる。
【実施例３】
【００６８】
図５及び図６は、本実施例の画像形成システムの第３実施例を示す図であり、図５は、本実施例の画像形成システムの第３実施例を適用した画像形成システムによる省エネ制御処理を示すフローチャートである。
【００６９】
なお、本実施例は、上記第１実施例の画像形成システム及びデジタル複写装置１と同様の画像形成システム及びデジタル複写装置に適用したものであり、本実施例の説明においては、必要に応じて、上記第１実施例の説明で用いた符号をそのまま用いて説明する。
【００７０】
本実施例の画像形成システムは、画像形成システムを構成する複数のデジタル複写装置１を、マスター機とスレーブ機に分類し、ジョブ内容に応じて、省エネルギモード状態の画像形成システムの起動状態を変更する。
【００７１】
本実施例の画像形成システムでは、連結状態にあるマスター機用のデジタル複写装置１の出力許可信号は、マスター機のデジタル複写装置１のネットワーク制御部４４と操作部４３から入力され、スレーブ機用のデジタル複写装置１の出力許可信号は、マスター機のデジタル複写装置１のシーケンス制御部４１によって制御されている。
【００７２】
このような構成の画像形成システム置においては、図５に示すように、省エネルギモード時、マスター機のデジタル複写装置１のネットワーク制御部４４または操作部４３から画像形成コマンドが入力されると（ステップＳ１０１）、まず、マスター機のデジタル複写装置１の直流電源部４７に対してのみ出力許可信号をアサートして、直流電源部４７から直流電源の供給されたマスター機のシーケンス制御部４１が受信した画像形成コマンドの内容を解釈して画像形成枚数（ジョブ枚数）を読み出す（ステップＳ１０２）。
【００７３】
当該シーケンス制御部４１は、シーケンス制御部４１のメモリに予め設定・格納されている基準値と入力された画像形成コマンドの画像形成枚数と比較し（ステップＳ１０３）、画像形成コマンドで指示された枚数の方が基準値よりも大きい場合には、スレーブ機のデジタル複写装置１に対する出力許可信号をアサートし（ステップＳ１０４）、連結システムとして画像形成動作を実行する（ステップＳ１０５〜Ｓ１０８）。すなわち、マスター機のデジタル複写装置１は、マスター機の初期化動作を開始し（ステップＳ１０５）、スレーブ機のデジタル複写装置１の初期化が完了するのを待って（ステップＳ１０６）、スレーブ機のデジタル複写装置１に画像データを連結インタフェース４６を経由して出力する（ステップＳ１０７）。スレーブ機のデジタル複写装置１は、データが転送されてくると、当該画像データに対して要求されたジョブ、例えば、必要な画像形成処理を実行する。
【００７４】
そして、マスター機のデジタル複写装置１は、画像データをスレーブ機のデジタル複写装置１に出力すると、当該マスター機のデジタル複写装置１での画像形成動作を開始して、画像形成処理を完了すると処理を終了する（ステップＳ１０８）。
【００７５】
また、ステップＳ１０３で、画像形成コマンドで指示された枚数が基準値よりも小さい場合には、マスター機のデジタル複写装置１は、スレーブ機に対する出力許可信号はアサートせず、マスター機のデジタル複写装置１の初期化動作を開始し（ステップＳ１０９）、マスター機のデジタル複写装置１のみで画像形成動作を実行する（ステップＳ１０８）。
【００７６】
また、上記マスター機のデジタル複写装置１のみで画像形成動作を実行するか、スレーブ機のデジタル複写装置１を起動して画像形成動作を実行するかの判断基準となる基準値は、画像形成システムの利用者が任意に設定することができる。
【００７７】
すなわち、マスター機のデジタル複写装置１のみで画像形成動作を実行するか、スレーブ機のデジタル複写装置１を起動して画像形成動作を実行するかの判断基準となる基準値は、シーケンス制御部４１の不揮発メモリ５４に格納される。工場出荷時には、不揮発メモリ５４には、標準値となる基準値が格納されており、初期設定状態においては、マスター機のデジタル複写装置１は、不揮発メモリ５４の標準値の基準値を判断基準として連結システムの動作制御を行う。
【００７８】
また、使用者が自分の利用方法に合わせて連結システムの動作制御を変更したい場合には、操作部４３に設けられた設定変更スイッチ（図示略）を押し、テンキーから基準値を入力することで不揮発メモリ５４に格納された基準値を任意の値に変更することができる。
【００７９】
すなわち、図６に示すように、シーケンス制御部４１は、操作部４３の設定変更スイッチが押されると（ステップＳ２０１）、テンキーの入力を受け付け（ステップＳ２０２）、操作部４３の確定キー（図示略）が押下されると（ステップＳ２０３）、当該テンキーで入力された値に不揮発メモリ５４の基準値の値を書き換える（ステップＳ２０４）。
【００８０】
このように、本実施例のデジタル複写装置１は、画像形成枚数が少ない画像形成コマンドが入力された場合、マスター機のデジタル複写装置１のみで画像形成動作を実行し、大量の画像形成が必要なコマンドが入力された場合は、スレーブ機のデジタル複写装置１を含む最大の画像形成能力を発揮して画像形成動作を実行することで、画像形成システムの消費電力を削減するとともに、画像生産性を向上させることができる。
【００８１】
また、使用者は、複数のデジタル複写装置１の連結された画像形成システムが、マスター機のデジタル複写装置１のみで実行するジョブ枚数を任意の値に設定することができ、画像形成効率を向上させることができるとともに、画像形成システムの消費電力を削減することができる。
【実施例４】
【００８２】
図７は、本実施例の画像形成システムの第４実施例を適用した画像形成システムによる省エネ制御処理を示すフローチャートである。
【００８３】
なお、本実施例は、上記第１実施例の画像形成システム及びデジタル複写装置１と同様の画像形成システム及びデジタル複写装置に適用したものであり、本実施例の説明においては、必要に応じて、上記第１実施例の説明で用いた符号をそのまま用いて説明する。
【００８４】
本実施例の画像形成システムは、画像形成システムを構成する複数のデジタル複写装置１を、マスター機とスレーブ機に分類し、画像形成動作開始までの遅延を短縮しつつ、ジョブ内容に応じて、省エネルギモード状態の画像形成システムの起動状態を変更する。
【００８５】
すなわち、本実施例の画像形成システム置は、図７に示すように、省エネルギモード時、マスター機のデジタル複写装置１のネットワーク制御部４４または操作部４３から画像形成コマンドが入力されると（ステップＳ３０１）、まず、マスター機のデジタル複写装置１の直流電源部４７に対して出力許可信号をアサートして、直流電源部４７から直流電源をシーケンス制御部４１に供給して起動し、起動したシーケンス制御部４１が画像形成コマンドの解釈を行う前に、マスター機の初期化動作を開始して、定着ユニットの温度上昇、プロセスユニットの初期化動作等の初期化動作を開始する（ステップＳ３０２）。
【００８６】
マスター機のデジタル複写装置１は、起動したシーケンス制御部４１が受信した画像形成コマンドの内容を解釈して画像形成枚数（ジョブ枚数）を読み出し（ステップＳ３０３）、初期化の完了したマスター機のデジタル複写装置１は、自らの画像形成、すなわち、マスター機での画像形成を開始し（ステップＳ３０４）、シーケンス制御部４１のメモリに予め設定・格納されている基準値と入力された画像形成コマンドの画像形成枚数とを比較する（ステップＳ３０５）。
【００８７】
ステップＳ３０５で、画像形成コマンドで指示された枚数（ジョブ枚数）の方が基準値よりも大きい場合には、マスター機のデジタル複写装置１は、スレーブ機のデジタル複写装置１に対する出力許可信号をアサートし（ステップＳ３０６）、スレーブ機のデジタル複写装置１の初期化が完了するのを待って（ステップＳ３０７）、スレーブ機のデジタル複写装置１に画像データを連結インタフェース４６を経由して出力する（ステップＳ３０８）。スレーブ機のデジタル複写装置１は、データが転送されてくると、当該画像データに対して要求されたジョブ、例えば、必要な画像形成処理を実行する。
【００８８】
また、ステップＳ３０５で、画像形成コマンドで指示された枚数（ジョブ枚数）が基準値よりも小さい場合には、マスター機のデジタル複写装置１は、スレーブ機に対する出力許可信号はアサートせず、マスター機のデジタル複写装置１のみで画像形成動作を実行する。
【００８９】
このように、本実施例の画像形成システムは、マスター機のデジタル複写装置１の起動したシーケンス制御部４１が、画像形成コマンドの解釈を行う前に、マスター機の初期化動作を開始し、定着ユニット２７の温度上昇、プロセスユニットの初期化動作等を実行し、マスター機が画像形成動作実行可能になるまでの復帰時間を短縮することを最優先制御対象とする。
【００９０】
したがって、操作部４３から電源スイッチ回路５７の電源スイッチが押され、画像形成システムが起動し、使用者がコピー枚数を設定し、コピースタートボタンを押してから最初の画像が出力されるまでの遅延時間を最短にすることができ、また、設定されたジョブの画像形成枚数が基準値より大きいことが確認された場合、スレーブ機の直流電源部４７に対して出力許可信号をアサートし、連結システムの起動を開始する。
【００９１】
その結果、使用者が画像形成コマンドを入力後、最初の画像が出力されるまでの遅延時間を最短とすることができ、使用者の利用性を向上させることができるとともに、スレーブ機のデジタル複写装置１が、ジョブ内容を確認後、起動するため画像形成枚数が少ないジョブの入力によってスレーブ機のデジタル複写装置１が起動することを回避して、無駄な電力消費を防止して、画像形成システム全体としてのより一層消費電力を削減することができる。
【００９２】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００９３】
総消費電力の削減を図りつつ、複数の複写装置等の画像形成装置を連結して画像データを共有して画像形成する画像形成システム一般に適用することができる。
【図面の簡単な説明】
【００９４】
【図１】本発明の画像形成システムの第１実施例に適用されるデジタル複写装置の正面概略構成図。
【図２】図１のレーザ書込系の斜視図。
【図３】図１のデジタル複写装置の制御系の主要階ロブロック構成図。
【図４】本発明の画像形成システムの第２実施例に適用されるデジタル複写装置の制御系の主要階ロブロック構成図。
【図５】本発明の画像形成システムの第３実施例に適用されるデジタル複写装置による省エネ制御処理を示すフローチャート。
【図６】図５の基準値の設定処理を示すフローチャート。
【図７】本発明の画像形成システムの第３実施例に適用されるデジタル複写装置による省エネ制御処理を示すフローチャート。
【符号の説明】
【００９５】
１  デジタル複写装置
２  プリンタ部
３  スキャナ部
４  筐体
５  コンタクトガラス
６  圧板
７  第１走行体
７ａ  光源
７ｂ  ミラー
８  第２走行体
８ａ、８ｂ  ミラー
９、１０  ミラー
１１  レンズ
１２  ＣＣＤイメージセンサ
１３  ステッピングモータ
１５  レーザ出力ユニット
１５ａ  レーザ光源ユニット
１５ｂ  ミラー
１５ｃ  シリンダレンズ
１５ｄ  回転多面鏡
１５ｅ  モータ
１６  結像レンズ
１７  ミラー
１８  感光体ドラム
１９  帯電チャージャ
２０  イレーザ
２１  現像ユニット
２２  転写チャージャ
２３  分離チャージャ
２４  分離爪
２５  クリーニングユニット
２６  搬送ベルト
２７  定着ユニット
２８  排紙トレー
２９  定着ローラ
３０  加圧ローラ
３１  下段給紙カセット
３２  上段給紙カセット
３３  手差し給紙台
３４、３５  給紙ローラ
３６  レジストローラ
４１  シーケンス制御部
４２  画像制御部
４３  操作部
４４  ネットワーク制御部
４５  ゲート回路
４６  連結インタフェース
４７  直流電源部
５１  ＣＰＵ
５２  ＲＯＭ
５３  ＲＡＭ
５４  不揮発性メモリ
５５  画像処理デバイス
５６  画像メモリ
５７  電源スイッチ回路
５８  制御部
５９  ＬＣＤ
６０  デジタル複写装置
６１  ゲート回路
【図１】
2005088288.tif 000003
【図２】
2005088288.tif 000004
【図３】
2005088288.tif 000005
【図４】
2005088288.tif 000006
【図５】
2005088288.tif 000007
【図６】
2005088288.tif 000008
【図７】
2005088288.tif 000009